【事件の表示】
　商願２００９−　３６７９０拒絶査定不服審判事件について、次のとおり審決する。
【結　論】
　原査定を取り消す。
　本願商標は、登録すべきものとする。
【理　由】
１　本願商標
　本願商標は、「Ｋａｏｎ」の文字を標準文字で表してなり、第３類「香水類，化粧品，植物性天然香料，動物性天然香料，合成香料，調合香料，精油からなる食品香料，家庭用帯電防止剤，家庭用脱脂剤，さび除去剤，染み抜きベンジン，洗濯用柔軟剤，洗濯用漂白剤，せっけん類，歯磨き，つけづめ，つけまつ毛」を指定商品とし、平成２０年１１月１９日に登録出願された商願２００８−９３６７６号に係る商標法第１０条第１項の規定による商標登録出願として、平成２１年５月１９日に登録出願されたものである。
　
２　引用商標
　原査定において、本願商標が商標法第４条第１項第１１号に該当するものとして引用した登録商標は以下のとおりであり、いずれも有効に存続しているものである。
（１）登録第２９７４７９号商標　商標の構成：「花王」、登録出願日：昭和１２年３月２５日、設定登録日：昭和１２年１２月２７日、指定商品（本件審決時。以下同じ。）：商標登録原簿(以下「原簿」という。）記載のとおり
（２）登録第３０４４８２号−１商標　商標の構成：「花王」、登録出願日：昭和１２年１２月２７日、設定登録日：昭和１３年７月１９日、指定商品：原簿記載のとおり
（３）登録第３１０００２号商標　商標の構成：「花王」、登録出願日：昭和１３年５月２１日、設定登録日：同年１２月１６日、指定商品：原簿記載のとおり
（４）登録第３７０５４０号商標　商標の構成：「花王」、登録出願日：昭和２１年８月９日、設定登録日：昭和２２年１２月２４日、指定商品：原簿記載のとおり
（５）登録第５２６１５７号商標　商標の構成：「ＫＡＯ」、登録出願日：昭和３２年９月２８日、設定登録日：昭和３３年８月２１日、指定商品：原簿記載のとおり
（６）登録第１５２２７９５号商標　商標の構成：「ＫＡＯ　／　花王」（「／」は段替えされていることを表すものとする。以下同じ。）、登録出願日：昭和５３年３月１４日、設定登録日：昭和５７年６月２９日、指定商品：原簿記載のとおり
（７）登録第２１１７９９２号商標　商標の構成：別掲のとおり、登録出願日：昭和６０年１０月３日、設定登録日：平成元年２月２１日、指定商品：原簿記載のとおり
（８）登録第２３０１７７４号商標　商標の構成：「花王　／　パワーイオン」、登録出願日：昭和６３年６月２４日、設定登録日：平成３年２月２７日、指定商品：原簿記載のとおり
（９）登録第２３９４３０３号商標　商標の構成：「花王　／　パワーイオン」、登録出願日：昭和６３年６月２４日、設定登録日：平成４年３月３１日、指定商品：原簿記載のとおり
（１０）登録第３０１１４２３号商標　商標の構成：「Ｋａｏ」、登録出願日：平成４年９月２８日、設定登録日：平成６年１１月３０日、指定商品：原簿記載のとおり
（１１）登録第３０１１４２４号商標　商標の構成：「Ｋａｏ」、登録出願日：平成４年９月２８日、設定登録日：平成６年１１月３０日、指定商品：原簿記載のとおり
（１２）登録第３０１１４２５号商標　商標の構成：「花王」、登録出願日：平成４年９月２８日、設定登録日：平成６年１１月３０日、指定商品：原簿記載のとおり
（１３）登録第３０１１４２６号商標　商標の構成：「花王」、登録出願日：平成４年９月２８日、設定登録日：平成６年１１月３０日、指定商品：原簿記載のとおり
（１４）登録第３０１８２７９号商標　商標の構成：「Ｋａｏ」、登録出願日：平成４年９月２８日、設定登録日：平成７年１月３１日、指定商品：原簿記載のとおり
（１５）登録第３０１８２８０号商標  　商標の構成：「花王」、登録出願日：平成４年９月２８日、設定登録日：平成７年１月３１日、指定商品：原簿記載のとおり
（１６）登録第３０２７３０７号商標　商標の構成：「Ｋａｏ」、登録出願日：平成４年９月２８日、設定登録日：平成７年２月２８日、指定商品：原簿記載のとおり
（１７）登録第３０２７３０８号商標　商標の構成：「花王」、登録出願日：平成４年９月２８日、設定登録日：平成７年２月２８日、指定商品：原簿記載のとおり
（１８）登録第３０３５５４１号商標　商標の構成：「Ｋａｏ」、登録出願日：平成４年９月２８日、設定登録日：平成７年３月３１日、指定商品：原簿記載のとおり
（１９）登録第３０３５５４２号商標　商標の構成：「花王」、登録出願日：平成４年９月２８日、設定登録日：平成７年３月３１日、指定商品：原簿記載のとおり
（２０）登録第３０３５５４３号商標　商標の構成：「Ｋａｏ」、登録出願日：平成４年９月２８日、設定登録日：平成７年３月３１日、指定商品：原簿記載のとおり
（２１）登録第３０３５５４４号商標　商標の構成：「花王」、登録出願日：平成４年９月２８日、設定登録日：平成７年３月３１日、指定商品：原簿記載のとおり
（２２）登録第３０４３４４６号商標　商標の構成：「Ｋａｏ」、登録出願日：平成４年９月２８日、設定登録日：平成７年５月３１日、指定商品：原簿記載のとおり
（２３）登録第３０４３４４７号商標　商標の構成：「Ｋａｏ」、登録出願日：平成４年９月２８日、設定登録日：平成７年５月３１日、指定商品：原簿記載のとおり
（２４）登録第３０４３４４８号商標　商標の構成：「花王」、登録出願日：平成４年９月２８日、設定登録日：平成７年５月３１日、指定商品：原簿記載のとおり
（２５）登録第３０４８２３９号商標　商標の構成：「Ｋａｏ」、登録出願日：平成４年９月２８日、設定登録日：平成７年６月３０日、指定商品：原簿記載のとおり
（２６）登録第３０４８２４０号商標　商標の構成：「花王」、登録出願日：平成４年９月２８日、設定登録日：平成７年６月３０日、指定商品：原簿記載のとおり
（２７）登録第３０５２３２１号商標　商標の構成：「花王」、登録出願日：平成４年９月２８日、設定登録日：平成７年６月３０日、指定商品：原簿記載のとおり
（２８）登録第３０６７１１４号商標　商標の構成：「Ｋａｏ」、登録出願日：平成４年９月２８日、設定登録日：平成７年８月３１日、指定商品：原簿記載のとおり
（２９）登録第３０６７１１５号商標　商標の構成：「花王」、登録出願日：平成４年９月２８日、設定登録日：平成７年８月３１日、指定商品：原簿記載のとおり
（３０）登録第３２９１０５３号商標　商標の構成：「Ｋａｏ」、登録出願日：平成４年９月２８日、設定登録日：平成９年４月２５日、指定商品：原簿記載のとおり
（３１）登録第３２９１０５４号商標　商標の構成：「花王」、登録出願日：平成４年９月２８日、設定登録日：平成９年４月２５日、指定商品：原簿記載のとおり
（３２）登録第３３５４０００号商標　商標の構成：「Ｋａｏ」、登録出願日：平成４年９月２８日、設定登録日：平成９年１０月２４日、指定商品：原簿記載のとおり
（３３）登録第３３５４００１号商標　商標の構成：「花王」、登録出願日：平成４年９月２８日、設定登録日：平成９年１０月２４日、指定商品：原簿記載のとおり
（３４）登録第４３０７４７２号商標　商標の構成：「ＫＡＯ　／　ＨＥＲＢ’Ｓ」、登録出願日：平成１０年８月２８日、設定登録日：平成１１年８月２０日、指定商品：原簿記載のとおり
（３５）登録第４３１３９５２号商標　商標の構成：別掲のとおり、登録出願日：平成１０年１月３０日、設定登録日：平成１１年９月１０日、指定商品：原簿記載のとおり
（３６）登録第４３６２５２０号商標　商標の構成：「花王　／　マイルドケア」、登録出願日：平成１１年３月１９日、設定登録日：平成１２年２月１８日、指定商品：原簿記載のとおり
（３７）登録第４３８１４９１号商標　商標の構成：「花王　／　ペットケア」、登録出願日：平成１０年７月３１日、設定登録日：平成１２年５月１２日、指定商品：原簿記載のとおり
（３８）登録第４６５２７０８号商標　商標の構成：「ＫＡＯ　／　アジアンビューティ」、登録出願日：平成１４年７月３日、設定登録日：平成１５年３月１４日、指定商品：原簿記載のとおり
（３９）登録第４７１４２８２号商標　商標の構成：「ＫＡＯ　／　Ｐｕｒｅ　／　Ｅｌｅｇａｎｔ　Ｂｏｕｑｕｅｔ　／　エレガントブーケ」、登録出願日：平成１５年２月７日、設定登録日：平成１５年１０月３日、指定商品：原簿記載のとおり
（４０）登録第４７２９３９３号商標　商標の構成：「ＫＡＯ　／　Ｐｕｒｅ　／　Ｒｏｍａｎｔｉｃ　Ｒｏｓｅ　／　ロマンティックローズ」、登録出願日：平成１５年４月１０日、設定登録日：平成１５年１１月２８日、指定商品：原簿記載のとおり
（４１）登録第４７３０９４７号商標　商標の構成：「ＫＡＯ　／　Ｐｕｒｅ　／　Ｓｗｅｅｔ　Ｒｏｓｅ　／　スウィートローズ」、登録出願日：平成１５年４月１０日、設定登録日：平成１５年１２月５日、指定商品：原簿記載のとおり
（４２）登録第４７５０７４０号商標　商標の構成：「ＫＡＯ　／　Ｐｕｒｅ　／　Ｆｒｅｓｈ　Ｒｏｓｅ　／　フレッシュローズ」、登録出願日：平成１５年５月２６日、設定登録日：平成１６年２月２７日、指定商品：原簿記載のとおり
（４３）登録第４８２７８５９号商標　商標の構成：「花王　／　ポケットパウチ」、登録出願日：平成１６年５月１２日、設定登録日：平成１６年１２月２４日、指定商品：原簿記載のとおり
（４４）登録第４８３９１３７号商標　商標の構成：「花王　／　ニューストロング」、登録出願日：平成１６年６月３日、設定登録日：平成１７年２月１８日、指定商品：原簿記載のとおり
（４５）登録第５１０２９７１号商標　商標の構成：「ＰｕｒｅＢｏｕｑｕｅｔ　／　ピュアブーケ　／　Ｋａｏ　／　Ｗｈｉｔｅ」、登録出願日：平成１９年６月１２日、設定登録日：平成２０年１月１１日、指定商品：原簿記載のとおり
（４６）登録第５２７５００１号商標　商標の構成：「ＫＡＯ　／　Ｐｒｅｍｉｕｍ　／　ｃｏｌｌｅｃｔｉｏｎ」、登録出願日：平成２０年５月１３日、設定登録日：平成２１年１０月２３日、指定商品：原簿記載のとおり
（４７）登録第５２７１２７２号商標　商標の構成：「花王　／　ローズアロマギフト　／　ＲＯＳＥ　ＡＲＯＭＡ　ＧＩＦＴ」、登録出願日：平成２０年７月２９日、設定登録日：平成２１年１０月９日、指定商品：原簿記載のとおり
　
　なお、上記（１）ないし(４７)の登録商標をまとめて「引用各商標」という。
　
３　当審の判断
　本願商標は、「Ｋａｏｎ」の文字よりなり、該文字は、我が国において一般に知られた意味合いを有するものではない。そうすると、本願商標は、該構成文字より、「カオン」の称呼を生じ、格別の観念を有しないものと認められる。
　引用各商標は、いずれもその構成中に、「花王」、「ＫＡＯ」または「Ｋａｏ」の文字を有してなるから、その構成文字より、「カオウ」または「カオー」の称呼を生ずるものである。
　原査定は、本願商標から生ずる「カオン」の称呼と引用各商標から生ずる「カオウ」または「カオー」の称呼は、いずれも類似するものであるとして、本願商標と引用各商標とが類似の商標であると認定、判断しているので、この点について検討する。
　まず、本願商標から生ずる「カオン」の称呼と引用各商標から生ずる「カオー」の称呼についてみるに、語尾において、「ン」の音と、「オ」の音の有する長音「ー」の差異を有するが、両者は音質を明らかに異にするものであるから、いずれもわずか３音という短い音構成よりなる両称呼の全体に及ぼす影響は大きく、両称呼を一連に称呼しても、語調、語感を異にし、聞き誤るおそれはないものというのが相当である。
　また、「カオン」の称呼と「カオウ」の称呼についてみると、後者の「カオウ」は、後半の「オウ」が二重母音を形成する結果、前音の母音（ｏ）をそのまま延ばす長音の如く発音されるから、前記「カオー」の称呼の場合と同様に、「カオン」の称呼と聞き誤るおそれはないし、後者の「ウ」の音を明確に発音した場合であっても、「ウ」の音と「ン」の音とは、音質を明らかに異にするものであるから、「カオン」の称呼と「カオウ」の称呼は、上記のとおり短い音構成において、明らかに聴別し得るものである。
　以上のとおり、本願商標と引用各商標とは、称呼上、類似するものとはいえない。
　そして、他に本願商標と引用各商標とを類似するものとすべき理由は見いだせない。
　したがって、本願商標から生ずる「カオン」の称呼と引用各商標から生ずる「カオウ」または「カオー」の称呼が類似するものであるとし、その上で、本願商標と引用各商標とが類似するものとして、本願商標が商標法第４条第１項第１１号に該当するとした原査定は妥当でなく、取消しを免れない。
　その他、政令で定める期間内に本願について拒絶の理由を発見しない。
　よって、結論のとおり審決する。